(57)【要約】【課題】本発明の洗濯機は、水道水の水温の検知ができ、水温に応じた運転時間の制御ができる安価で信頼性の高い洗濯機を提供する。【解決手段】給水弁２８が開き、注水装置３２の注水部経路３３ｃに水が流れ込む。注水部経路３３ｃに流れ込んだ水は、注水装置３２の上部注水部３３ｂに設けられた凹部３３ｆの外周面全周を覆うように充填され、この凹部３３ｆに挿入され凹部３３ｆの内壁３３ｉと温度検知部４２の外壁４２ｄとは凹部方向に形成した複数の細いリブ３３ｊを介して接触状態に配置され、かつ、この凹部３３ｆの肉厚は１ｍｍ程度と薄くしているため、この温度検知部４２への熱伝達が速やかに行なわれることにより速やかに注水の温度が検知される。【選択図】図４
2014033837.tif 000002
【特許請求の範囲】
【請求項１】
洗剤投入部を有する洗剤ケースと、前記洗剤ケースの洗剤投入部に注水する給水弁と連通した注水部を有する注水ケースとを備え、前記注水ケースは、注水部にサーミスタ等からなる温度検知部を備えた洗濯機。
【請求項２】
温度検知部はマイコン等を有する制御部により制御され、前記制御部は、上部枠体の前面に配置され、リードセンにより電気的に接続された請求項１記載の洗濯機。
【請求項３】
温度検知部は、注水ケースの注水部を形成する上部注水部に一体に形成された凹部に挿入し固定された請求項１及び２記載の洗濯機。
【請求項４】
温度検知部は、センサ取付イタの爪部と注水ケースの上部注水部に一体に形成されたリブに設けられた穴部とにより固定された請求項１及び２及び３記載の洗濯機。
【発明の詳細な説明】
【技術分野】
【０００１】
本発明は、主として粉末洗剤を洗濯槽に投入する洗剤ケースと前記洗剤ケースを収容する注水ケースからなる注水装置と温度検知部を有する洗濯機に関するものである。
【背景技術】
【０００２】
従来、この種の洗濯機は、洗剤ケースを収容する注水ケースからなる注水装置に温度検知部がない場合、注水された水を水温の検知もなく洗濯槽内に流し落としていた（例えば、特許文献１参照）。
【０００３】
図６において、水受け槽１は、底部にパルセータ２を回転自在に配設した洗濯兼脱水槽３を内包し、吊り棒４によって外枠５に吊り下げられている。外枠５の上部に外装体６を装着し、外装体６の略中央部に形成された布投入口７は蓋８で覆われている。また、外装体６の後部に電磁給水弁９と注水装置１０を装着している。注水装置１０は、この注水装置１０に回動自在に設けた洗剤ケース１１と外装体６で構成しており、洗濯兼脱水槽３内に注水するものである。
【０００４】
上記構成において、洗濯行程で、洗剤ケース１１を倒して、その上に洗剤を載せ、洗濯が開始し、電磁給水弁９から給水を始めると、水は注水装置１０の洗剤ケース１１上を通過し、洗濯兼脱水槽３に投入する。所定の水位に達するとパルセータ２を駆動して洗濯する。
【先行技術文献】
【特許文献】
【０００５】
【特許文献１】特開平１０−１４６４９３号公報
【発明の概要】
【発明が解決しようとする課題】
【０００６】
しかしながら、前記従来の構成では、電磁給水弁９から給水を始めると、水は注水装置１０の洗剤ケース１１上を通過し、洗濯兼脱水槽３にそのまま注水されるように構成している為、水温に関係なく同じ時間で運転し、洗浄しすぎでの衣類の傷みや、逆に洗浄不足による汚れ残りを発生させていた。
【０００７】
本発明は、前記従来の課題を解決するもので、水道水の水温の検知ができ、水温に応じた運転時間の制御ができる洗濯機を提供することを目的とする。
【課題を解決するための手段】
【０００８】
本発明は、前記従来の課題を解決するもので、洗剤投入部を有する洗剤ケースと、前記洗剤ケースの洗剤投入部に注水する給水弁と連通した注水部を有する注水ケースとを備え、前記注水ケースは、注水部にサーミスタ等からなる温度検知部を備えたものである。
【０００９】
これによって、注水部のサーミスタ等からなる温度検知部により、水道水の水温の検知ができ、水温に応じた運転時間の制御ができ、安価で信頼性の高い洗濯機を提供することができる。
【発明の効果】
【００１０】
本発明の洗濯機は、水道水の水温の検知ができ、水温に応じた運転時間の制御ができる安価で信頼性の高い洗濯機を提供することができる。
【図面の簡単な説明】
【００１１】
【図１】本発明の実施の形態１における洗濯機の縦断面図
【図２】同洗濯機の要部断面図
【図３】同洗濯機の要部斜視図
【図４】同洗濯機の要部平面図
【図５】同洗濯機の要部拡大断面図
【図６】従来の洗濯機の要部断面図
【発明を実施するための形態】
【００１２】
第１の発明は、洗剤投入部を有する洗剤ケースと、前記洗剤ケースの洗剤投入部に注水する給水弁と連通した注水部を有する注水ケースとを備え、前記注水ケースは、注水部にサーミスタ等からなる温度検知部を備えたことにより、水道水の水温の検知ができ、水温に応じた運転時間の制御ができる安価で信頼性の高い洗濯機を提供することができる。
【００１３】
第２の発明は、温度検知部はマイコン等を有する制御部により制御され、前記制御部は、上部枠体の前面に配置され、リードセンにより電気的に接続されたことにより、温度検知部と制御部との接続を簡素に構成し、安価で組立性に優れた洗濯機を提供することができる。
【００１４】
第３の発明は、温度検知部は、注水ケースの注水部を形成する上部注水部に一体に形成された凹部に挿入し固定されたことにより、温度検知部の水密構成を廃止でき、水漏れ等のなく信頼性の高く、安価で組立性に優れた洗濯機を提供することができる。
【００１５】
第４の発明は、温度検知部は、センサ取付イタの爪部と注水ケースの上部注水部に一体に形成されたリブに設けられた穴部とにより固定されたことにより、簡素な構成とすることができ、安価で組立性に優れた洗濯機を提供することができる。
【００１６】
以下、発明の実施の形態について、図面を参照しながら説明する。また、この実施の形態によって本発明が限定されるものではない。
【００１７】
（実施の形態１）
図１から図３は、本発明の実施の形態１における洗剤ケースと前記洗剤ケースを収容する注水ケースからなる注水装置を有する洗濯機の側断面図、図２は、同洗剤ケースと前記洗剤ケースを収容する注水ケースからなる注水装置の要部側断面図、図３は、同洗剤ケースと前記洗剤ケースを収容する注水ケースからなる注水装置の要部側斜視図である。
【００１８】
図１において、洗濯機の本体１１は、サスペンション１２により水槽１３をその内部に懸垂防振支持している。洗濯・脱水軸１４は中空で２軸構造としている。洗濯兼脱水槽（洗濯槽）１５は側壁に多数の脱水孔１６を有するとともに、内周の上部に流体バランサ１７を有し、中央底部にはパルセータ１８が配設されている。伝達機構部１９は内部に洗濯時の減速ギア（図示せず）および洗濯・脱水軸１４の切り換えクラッチ（図示せず）と、脱水時に洗濯兼脱水槽１５を停止するためのブレーキ（図示せず）を内蔵している。
【００１９】
モータ２０は水槽１３の底部に取り付けられ、モータ側プーリ２１およびメカ側プーリ２２は、それぞれベルト２３を介してモータ２０の動力を洗濯・脱水軸１４に伝達する。
【００２０】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。上部枠体２４の前方側の内部には、前記モータ２
０等の電装部を制御する制御装置２７を配し、後方側の内部には、電磁力により開閉可能な給水弁２８を配設している。洗濯物投入取出口２５の後部には、洗剤ケース２９を前方へ引き出し可能に収納し、給水弁２８とパッキン３０を介して水密保持し連通する注水ケース３１からなる注水装置３２を配設している。
【００２１】
注水装置３２の構成について、図２から図５を用いて説明する。
【００２２】
注水ケース３１は、上部に注水部３３を設け、この注水部３３は、下部を構成する下部注水部３３ａと上方を覆う上部注水部３３ｂと前面壁３３ｄからなり、下部注水部３３ａと上部注水部３３ｂとを溶着固定することで、給水弁２８と連通する注水部経路３３ｃを形成している。注水部経路３３ｃの底面壁３３ｅには１個または複数個の第２注水孔３４ａを設けるとともに前面壁３３ｄに１個または複数個の第１注水孔３４ｂを設けている。洗剤ケース２９を注水ケース３１に収納した状態での洗剤ケース２９の下方に後方から前方にかけて下方傾斜した流水面３５を設け、前方に注水口３６を設けている。
【００２３】
洗剤ケース２９は、粉末洗剤を投入するための粉末洗剤投入部（洗剤投入部）３７と洗剤ケースを操作する為の取っ手部４１とから構成されている。
【００２４】
粉末洗剤投入部３７は、箱状に形成され、後面壁３７ａの下部に開口３７ｂが形成されている。これにより、粉末洗剤投入部３７に注水された水は、開口３７ｂから注水ケース３１の流水面３５上に流れ落ちるようにしている。また、粉末洗剤投入部３７の底面３７ｄは、略一定の傾きで後下方向に傾斜している。
【００２５】
取っ手部４１は、手挿入部４１ａと下部に下方を外方向に湾曲させた注水壁面４１ｂを形成しており、注水ケース３１の流水面３５から流れてきた水が注水壁面４１ｂに当るように構成し、前記注水口３６を形成している。
【００２６】
また、注水部経路３３ｃの前面壁３３ｄの第１注水孔３４ｂは、下側壁面３４ｃを前下方向に傾斜させている。
【００２７】
前記上部注水部３３ｂには、サーミスタ等からなる温度検知部４２を挿入する凹部３３ｆが一体成形にて設けられ、この凹部３３ｆの肉厚は１ｍｍ程度としている。この凹部３３ｆの内壁３３ｉと前記温度検知部４２の外壁４２ｄとは凹部方向に形成した複数の細いリブ３３ｊを介して接触している。
【００２８】
前記温度検知部４２はリードセン４３により電気的に前記制御装置２７に接続され、この制御装置２７に内蔵されたマイコン等により温度検知部４２の信号を処理するようにしている。前記リードセン４３は前記上部枠体２４の後部に内蔵される後部取付枠４４の上面４４ａに設けられたフック部４４ｂとリードセン４３に設けられたスナップピン４３ａにより後部取付枠４４に固定され、前記上部枠体２４の側面内を通過し、前記上部枠体２４の前面内に収容された制御装置２７まで配設されている。
【００２９】
前記温度検知部４２は、引き出し線４２ａの根元部近傍を保護チューブ４５で覆い、外周筒体４２ｂのフランジ部４２ｃと前記保護チューブ４５の端面フランジ部４５ａの下面と当接させ、この端面フランジ部４５ａの上面をセンサ取付イタ４６の中央リブ４６ａで当接させている。このセンサ取付イタ４６は、外周に爪部４６ｂを有し、前記上部注水部３３ｂに一体に形成されたリブ３３ｇの穴部３３ｈに係止され、温度検知部４２を固定している。
【００３０】
尚、温度検知部４２と外周筒体４２ｂは一体に形成されても同様の構成であり、また、
センサ取付イタ４６の爪部４６ｂと上部注水部３３ｂの穴部３３ｈは逆であっても同様の構成である。
【００３１】
以上のように構成した洗濯機について、その動作、作用を説明する。
【００３２】
使用者は、洗剤ケース２９を注水ケース３１から引き出し、注水ケース３１の粉末洗剤投入部３７に所定量の粉末洗剤を投入した後、洗剤ケース２９を注水ケース３１に収納し、制御装置２７に設けられたスタートスイッチをＯＮする。これにより、給水弁２８が開き、注水装置３２の注水部経路３３ｃに水が流れ込む。注水部経路３３ｃに流れ込んだ水は、注水装置３２の上部注水部３３ｂに設けられた凹部３３ｆの外周面全周を覆うように充填され、この凹部３３ｆに挿入され凹部３３ｆの内壁３３ｉと温度検知部４２の外壁４２ｄとは凹部方向に形成した複数の細いリブ３３ｊを介して接触状態に配置され、かつ、この凹部３３ｆの肉厚は１ｍｍ程度と薄くしているため、この温度検知部４２への熱伝達が速やかに行なわれることにより速やかに注水の温度が検知される。検知された水温信号は、リードセン４３により、制御装置２７に伝達され、この制御装置２７に内蔵されたマイコン等により温度が高い場合は洗濯時間を短く、低い場合は洗濯時間を長くなるように注水が所定の水位まで完了した後、前記モータ２０の運転時間を制御する。
【００３３】
このように、給水弁２８より直下に接続された注水ケース３１の上部注水部３３ｂに設けられた温度検知部４２により、注水された水の水温が速やかに検知される為、温度が高い場合は、洗浄性能が良化するが衣類の傷みが発生しやすくなる傾向を運転時間を短くすることにより洗浄性能を維持しながら衣類の傷みを防止でき、且つ、消費電力量を削減することができ、温度が低い場合は、洗浄性能が悪化するが衣類の傷みが発生しにくくなる傾向を運転時間を長くすることにより衣類への傷みを防止しながら洗浄性能の低下を防止でき、且つ、給水弁２８からの水道水は凹部３３ｆの外周面へ付着して堆積する不純物の溶解が少ない為、温度検知部４２を挿入する凹部３３ｆの外周面への付着物の堆積を防止し、検知性能の経時的な変化を著しく低減でき、検知性能の信頼性を向上できる。
【００３４】
また、温度検知部４２は注水ケース３１の上部注水部３３ｂに設けられ、且つ、リードセン４３により電気的に制御装置２７に接続され、このリードセン４３は上部枠体２４の後部に内蔵される後部取付枠４４の上面４４ａに設けられたフック部４４ｂとリードセン４３に設けられたスナップピン４３ａにより後部取付枠４４に固定され、上部枠体２４の側面内を通過し、上部枠体２４の前面内に収容された制御装置２７まで配設されていることにより、リードセン４３の長さを短くでき、固定部での配線処理やフックへの引っ掛け作業程度の簡単な作業で組み立てができ、安価で、組立性に優れたものとできる。
【００３５】
また、温度検知部４２は、注水ケース３１の上部注水部３３ｂに一体的に設けられた凹部３３ｆに挿入することにより、複雑で信頼性の重要な水密的構成を削除でき、水漏れの発生を防止でき、安価で組立性に優れたものとできる。
【００３６】
また、温度検知部４２は、引き出し線４２ａの根元部近傍を保護チューブ４５で覆い、外周筒体４２ｂのフランジ部４２ｃと保護チューブ４５の端面フランジ部４５ａの下面と当接させ、この端面フランジ部４５ａの上面をセンサ取付イタ４６の中央リブ４６ａで当接させ、且つ、センサ取付イタ４６は、外周に爪部４６ｂを有し、上部注水部３３ｂに一体に形成されたリブ３３ｇの穴部３３ｈに係止され、温度検知部４２を固定していることにより、温度検知部４２の引き出し線４２ａの組立作業時や経時的な振動等による断線の防止ができ、且つ、爪による係止構成という極めて簡素な構成ができ、安価で組立性に優れたものとできる。
【００３７】
上記説明で明らかなように、本実施例では、洗剤投入部３７を有する洗剤ケース２９と
、洗剤ケース２９の洗剤投入部３７に注水する給水弁２８と連通した注水部３３を有する注水ケース３１とを備え、注水ケース３１は、注水部３３にサーミスタ等からなる温度検知部４２を備えたことにより、注水された水の水温が速やかに検知される為、水温に適した運転時間に制御ができ、洗浄性能、衣類の傷みを維持しながら、洗浄性能の低下や衣類の傷みを防止でき、且つ、省エネ性も向上できる。
【産業上の利用可能性】
【００３８】
以上のように、本発明にかかる注水装置に温度検知部を有する洗濯機は、簡単な構成で、洗浄性能、衣類の傷みを維持しながら、洗浄性能の低下や衣類の傷みを防止でき、且つ、省エネ性も向上できる構成とする洗濯機として有用である。
【符号の説明】
【００３９】
２７    制御部
２８    給水弁
２９    洗剤ケース
３１    注水ケース
３３    注水部
３３ｂ  上部注水部
３３ｈ  穴部
４２    温度検知部
４３    リードセン
４６    センサ取付イタ
４６ｂ  爪部
【図１】
2014033837.tif 000003
【図２】
2014033837.tif 000004
【図３】
2014033837.tif 000005
【図４】
2014033837.tif 000006
【図５】
2014033837.tif 000007
【図６】
2014033837.tif 000008